(57)【要約】【課題】底部の底壁部の肉厚が周方向に沿う位置ごとでばらつくのを抑える。【解決手段】ブロー成形により形成された合成樹脂製の横断面視角形状若しくは楕円形状のボトル１であって、底部１４の底壁部１７は、外周縁部に位置する接地部３１と、該接地部３１より径方向の内側に位置しボトル軸Ｏ方向の内側に膨出するドーム部３２と、を備え、ドーム部３２に、当該ボトル１の外側に向けて突出し径方向に延びる突リブ３３、３４が、ボトル軸Ｏ回りに沿って複数形成され、底壁部１７におけるボトル軸Ｏ回りに沿う周方向部分のうち、径方向の延伸量が最大となる部分を有する延伸部分１７ａに位置する突リブ３３の径方向の内端部における周方向の大きさは、この延伸部分１７ａを回避した回避部分１７ｂに位置する突リブ３４の周方向の大きさより大きい。【選択図】図２
2014196113.tif 000002
【特許請求の範囲】
【請求項１】
ブロー成形により形成された合成樹脂製の横断面視角形状若しくは楕円形状のボトルであって、
底部の底壁部は、外周縁部に位置する接地部と、該接地部より径方向の内側に位置しボトル軸方向の内側に膨出するドーム部と、を備え、
前記ドーム部に、当該ボトルの外側に向けて突出し径方向に延びる突リブが、ボトル軸回りに沿って複数形成され、
前記底壁部におけるボトル軸回りに沿う周方向部分のうち、径方向の延伸量が最大となる部分を有する延伸部分に位置する前記突リブの径方向の内端部における周方向の大きさは、この延伸部分を回避した回避部分に位置する前記突リブの周方向の大きさより大きいことを特徴とするボトル。
【請求項２】
請求項１記載のボトルであって、
前記突リブは、前記ドーム部の外面から当該ボトルの外側に向けて立ち上がる一対の側壁部と、これらの側壁部における当該ボトルの外側の端部同士を連結する頂壁部と、を備え、
前記突リブの周方向に沿う断面視において、前記頂壁部に直交する仮想線に対する前記側壁部の、当該ボトルの内側でなす傾斜角度は、
前記延伸部分に位置する前記突リブの径方向の内端部のものの方が、前記回避部分に位置する前記突リブのものより大きくなっていることを特徴とするボトル。
【請求項３】
請求項１または２に記載のボトルであって、
前記底部の底壁部は、平面視角形状に形成され、
前記延伸部分は、平面視角形状の角部が位置する角部分となっていることを特徴とするボトル。
【発明の詳細な説明】
【技術分野】
【０００１】
本発明は、ボトルに関するものである。
【背景技術】
【０００２】
従来から、例えば横断面視矩形状を呈する角形ボトル等では、底部の底壁部におけるボトル軸回りに沿う周方向部分のうち、横断面視矩形状の角部が位置する角部分が、他の部分よりも径方向の延伸量が大きいため、薄肉になりやすいという問題がある。
このような問題を解決するための手段として、例えば下記特許文献１に示されるように、底部の底壁部に形成されたドーム部のうち、前記角部分に位置する部分の深さを、前記他の部分に位置する部分の深さより浅くすることが考えられる。
ここで一般に、底部の底壁部を補強するために、例えば下記特許文献２、３に示されるように、ドーム部に当該ボトルの外側に向けて突出し径方向に延びる突リブをボトル軸回りに沿って複数形成することが行われている。
【先行技術文献】
【特許文献】
【０００３】
【特許文献１】実公平７−５２００６号公報
【特許文献２】特公昭５７−５７３３０号公報
【特許文献３】実用新案登録第２５２６６９６号公報
【発明の概要】
【発明が解決しようとする課題】
【０００４】
しかしながら、前記従来のボトルでは、突リブを設けたことによって、ブロー成形時の樹脂材料の円滑な延伸が阻害されやすくなり、前述のような手段を講じたとしても、底部の底壁部の肉厚が周方向に沿う位置ごとでばらつくおそれがあった。
【０００５】
本発明は、このような事情を考慮してなされたもので、底部の底壁部の肉厚が周方向に沿う位置ごとでばらつくのを抑えることができるボトルを提供することを目的とする。
【課題を解決するための手段】
【０００６】
上記課題を解決して、このような目的を達成するために、本発明のボトルは、ブロー成形により形成された合成樹脂製の横断面視角形状若しくは楕円形状のボトルであって、底部の底壁部は、外周縁部に位置する接地部と、該接地部より径方向の内側に位置しボトル軸方向の内側に膨出するドーム部と、を備え、前記ドーム部に、当該ボトルの外側に向けて突出し径方向に延びる突リブが、ボトル軸回りに沿って複数形成され、前記底壁部におけるボトル軸回りに沿う周方向部分のうち、径方向の延伸量が最大となる部分を有する延伸部分に位置する前記突リブの径方向の内端部における周方向の大きさは、この延伸部分を回避した回避部分に位置する前記突リブの周方向の大きさより大きいことを特徴とする。
【０００７】
この発明によれば、前記延伸部分に位置する突リブ（以下、延伸リブという）の径方向の内端部における周方向の大きさが、前記回避部分に位置する突リブ（以下、回避リブという）の周方向の大きさより大きくなっているので、底部の底壁部を成形する底金型に形成された、前記突リブを成形する複数の凹部分のうち、延伸リブを成形する凹部分の径方向の内端部における周方向の大きさが、回避リブを成形する凹部分の周方向の大きさより大きくなる。
したがって、ブロー成形の過程において、樹脂材料が、底金型に到達した後に、前記凹部分内に進入しながら径方向の外側に向けて延伸する際に、前記延伸部分に位置する樹脂材料の流動抵抗を、前記回避部分に位置する樹脂材料の流動抵抗よりも低く抑えることが可能になる。
これにより、ブロー成形の過程で底金型に到達した樹脂材料のうち、より長く径方向に延伸させなければならない前記延伸部分に位置する樹脂材料を、引っ掛かり少なくスムーズに径方向に延伸することが可能になり、底壁部の肉厚が、前記延伸部分で薄くなるのを抑制して周方向に沿う位置ごとでばらつくのを抑えることができる。このように、底壁部に局所的に薄肉になる部分が生ずることが抑えられるため、強度不足や接地安定性の低下が生ずるのを抑制することができる。
【０００８】
ここで、前記突リブは、前記ドーム部の外面から当該ボトルの外側に向けて立ち上がる一対の側壁部と、これらの側壁部における当該ボトルの外側の端部同士を連結する頂壁部と、を備え、前記突リブの周方向に沿う断面視において、前記頂壁部に直交する仮想線に対する前記側壁部の、当該ボトルの内側でなす傾斜角度は、前記延伸部分に位置する前記突リブの径方向の内端部のものの方が、前記回避部分に位置する前記突リブのものより大きくなってもよい。
【０００９】
この場合、延伸リブの側壁部のうち、径方向の内端部に位置する部分の前記傾斜角度が、回避リブにおける側壁部の前記傾斜角度より大きくなっているので、ブロー成形の過程で底金型に到達した樹脂材料のうち、前記延伸部分に位置する樹脂材料を、前記凹部分内に抵抗少なくスムーズに進入させることが可能になり、前述の作用効果が確実に奏功されることとなる。
【００１０】
また、前記底部の底壁部は、平面視角形状に形成され、前記延伸部分は、平面視角形状の角部が位置する角部分となってもよい。
【００１１】
この場合、底部の底壁部が平面視角形状に形成され、前記延伸部分が前記角部分となっているので、底壁部の肉厚が、前記角部分で薄くなるのを抑制することができる。
【発明の効果】
【００１２】
本発明によれば、底部の底壁部の肉厚が周方向に沿う位置ごとでばらつくのを抑えることができる。
【図面の簡単な説明】
【００１３】
【図１】本発明に係る一実施形態として示したボトルの側面図である。
【図２】図１に示すボトルのＡ−Ａ線矢視断面図である。
【図３】図２に示すボトルの、（ａ）Ｂ矢視図、及び（ｂ）Ｃ矢視図である。
【図４】図２に示すボトルの、（ａ）Ｄ−Ｄ線矢視断面図、及び（ｂ）Ｅ−Ｅ線矢視断面図である。
【発明を実施するための形態】
【００１４】
以下、図面を参照し、本発明の一実施形態に係るボトル１について説明する。
本実施形態のボトル１は、合成樹脂製とされるとともに、図１に示されるように、口部１１、肩部１２、胴部１３及び底部１４がボトル軸Ｏ方向に沿ってこの順に連設された概略構成とされ、ブロー成形により形成されている。これらの口部１１、肩部１２、胴部１３及び底部１４はそれぞれ、ボトル軸Ｏと同軸に配設されている。
以下、ボトル軸Ｏ方向に沿って口部１１側を上側、底部１４側を下側といい、ボトル軸Ｏ回りに周回する方向を周方向という。また、ボトル軸Ｏ方向から見た平面視においてボトル軸Ｏに直交する方向を径方向という。
ここで、ボトル１は、加熱して軟化した状態にある円筒状のプリフォームを延伸ロッドでボトル軸Ｏ方向に延伸させた後に、このプリフォーム内にエアを吹き込み、プリフォームを径方向に延伸させることで形成される。
【００１５】
胴部１３及び底部１４は、図１及び図２に示されるように、パネル面部２１がボトル軸Ｏ回りに沿う周方向に沿って角面部２２を介して複数連結された概略構成とされ、ボトル軸Ｏに直交する横断面視において、辺部をパネル面部２１がなし、かつ角部を角面部２２がなす角形状を呈している。図示の例では、胴部１３及び底部１４は、ボトル軸Ｏに直交する横断面視において概略正方形状を呈している。
【００１６】
胴部１３のパネル面部２１に、ボトル軸Ｏ方向に長い側面視長方形状の窪み部２３が形成されている。窪み部２３は、胴部１３のパネル面部２１の外表面からこのボトル１の内側に向けて延びる複数の傾斜壁部により画成されている。胴部１３のパネル面部２１において、窪み部２３より上方に位置する部分、及び下方に位置する部分の双方に、周方向に延びる横溝２４が形成されている。
【００１７】
底部１４は有底筒状に形成され、上端が胴部１３の下端に連結された周壁部１６と、周壁部１６の下端開口を閉塞する底壁部１７と、を備えている。
底壁部１７は、図２に示されるように、外周縁部に位置する接地部３１と、該接地部３１より径方向の内側に位置しボトル軸Ｏ方向の内側に膨出するドーム部３２と、を備えている。
接地部３１の平面視形状は、胴部１３及び底部１４の横断面視形状と同形状の環状となっている。ドーム部３２は、平面視円形状に形成されている。接地部３１及びドーム部３２はボトル軸Ｏと同軸に配設されている。
底壁部１７のうち、接地部３１とドーム部３２との間に位置する部分は、径方向の外側から内側に向かうに従い漸次ボトル軸Ｏ方向の内側に向けて延びる傾斜連結壁３６となっている。
【００１８】
ドーム部３２には、当該ボトル１の外側に向けて突出し径方向に延びる突リブ３３、３４が、周方向に沿って複数形成されている。複数の突リブ３３、３４は、ボトル軸Ｏを中心に放射状に配置されている。ドーム部３２における径方向の中央部３２ａには、突リブ３３、３４が位置しておらず、この中央部３２ａは、ボトル軸Ｏと同軸に配設された平滑な円板状に形成されている。突リブ３３、３４のうち、径方向の外端は、傾斜連結壁３６に段差なく連なり、径方向の内端は、ドーム部３２における径方向の中央部３２ａに段差なく連なっている。
【００１９】
そして、本実施形態では、底壁部１７におけるボトル軸Ｏ回りに沿う周方向部分のうち、径方向の延伸量が最大となる部分を有する延伸部分１７ａに位置する突リブ３３の径方向の内端部における周方向の大きさが、この延伸部分１７ａを回避した回避部分１７ｂに位置する突リブ３４の周方向の大きさより大きくなっている。
図示の例では、底部１４の平面視形状が、前述のような角形状を呈しているので、底壁部１７において、径方向の延伸量が最大となる部分は、接地部３１のうち角面部２２に位置する部分となっている。そして、底壁部１７の延伸部分１７ａは、底壁部１７におけるボトル軸Ｏ回りに沿う周方向部分のうち、角面部２２に位置する接地部３１を有する角部分となり、また、底壁部１７の回避部分１７ｂは、底壁部１７におけるボトル軸Ｏ回りに沿う周方向部分のうち、パネル面部２１が位置する部分となっている。
【００２０】
延伸部分１７ａに位置する突リブ（以下、延伸リブという）３３は、径方向の外端部を除く全域にわたって、回避部分１７ｂに位置する突リブ（以下、回避リブという）３４より、周方向の大きさが大きくなっている。
底壁部１７におけるボトル軸Ｏ回りに沿う周方向部分のうち、延伸部分１７ａに延伸リブ３３が１つ配置され、回避部分１７ｂに回避リブ３４が１つ配置されている。延伸リブ３３及び延伸部分１７ａそれぞれの周方向の中央部同士が互いに一致し、回避リブ３４及び回避部分１７ｂそれぞれの周方向の中央部同士が互いに一致している。
【００２１】
さらに本実施形態では、突リブ３３、３４は、図２、図３及び図４に示されるように、ドーム部３２の外面から当該ボトル１の外側に向けて立ち上がる一対の側壁部４１と、これらの側壁部４１における当該ボトル１の外側の端部（先端部）同士を連結する頂壁部４２と、を備えている。
ここで、前述した突リブ３３、３４における周方向の大きさとは、各突リブ３３、３４において周方向の大きさが最大となる部分における周方向の大きさを意味している。図示の例では、突リブ３３、３４における周方向の大きさは、一対の側壁部４１における当該ボトル１の内側の端部（基端部）同士の間の周方向の大きさとなっている。
また図示の例では、延伸リブ３３と回避リブ３４とで、頂壁部４２の周方向における大きさが互いに同等になっている。
【００２２】
そして、図４に示されるような、突リブ３３、３４の周方向に沿う断面視において、頂壁部４２に直交する仮想線Ｌに対する側壁部４１の、当該ボトル１の内側でなす傾斜角度θ１、θ２は、延伸リブ３３の径方向の内端部のものの方が、回避リブ３４のものより大きくなっている。
図示の例では、延伸リブ３３の側壁部４１における径方向の内端部のうち、当該ボトル１の内側に位置する内側部分４１ａの前記傾斜角度θ１が、回避リブ３４の側壁部４１の前記傾斜角度θ２より大きくなっている。なお、前記内側部分４１ａはドーム部３２に連なっている。
【００２３】
ここで、延伸リブ３３の側壁部４１における径方向の内端部のうち、当該ボトル１の外側に位置する外側部分４１ｂが、前記断面視において前記仮想線Ｌに対して当該ボトル１の内側でなす傾斜角度θ３は、前記内側部分４１ａの前記傾斜角度θ１より小さく、かつ回避リブ３４の側壁部４１の前記傾斜角度θ２と同等になっている。なお、前記外側部分４１ｂは頂壁部４２に連なっている。
図示の例では、延伸リブ３３の側壁部４１は、径方向に沿って、外端部を除く全域にわたって、前記内側部分４１ａの前記傾斜角度θ１が、回避リブ３４の側壁部４１の前記傾斜角度θ２より大きくなっている。
延伸リブ３３の径方向の外端部では、前記断面視において、前記仮想線Ｌに対する側壁部４１の、当該ボトル１の内側でなす傾斜角度が、全長にわたって同等になっている。また、回避リブ３４の側壁部４１の前記傾斜角度θ２は、前記断面視において、全長にわたって同等になっている。
【００２４】
なお、延伸リブ３３の径方向の内端部における周方向の大きさは、回避リブ３４の周方向における大きさの１．０５倍以上２．００倍以下となっている。
また、延伸リブ３３における前記傾斜角度θ１は、２０°以上８５°以下とされ、回避リブ３４における前記傾斜角度θ２は、１°以上４５°以下となっている。但し、θ１＞θ２の関係を満たす範囲となっている。
さらに、各突リブ３３、３４において、径方向の内端部の周方向の大きさは、径方向の外端部の周方向の大きさより大きくなっている。
【００２５】
以上説明したように、本実施形態によるボトル１によれば、延伸リブ３３の径方向の内端部における周方向の大きさが、回避リブ３４の周方向の大きさより大きくなっているので、底部１４の底壁部１７を成形する底金型に形成された、突リブ３３、３４を成形する複数の凹部分のうち、延伸リブ３３を成形する凹部分の径方向の内端部における周方向の大きさが、回避リブ３４を成形する凹部分の周方向の大きさより大きくなる。
したがって、ブロー成形の過程において、樹脂材料が、底金型に到達した後に、前記凹部分内に進入しながら径方向の外側に向けて延伸する際に、底壁部１７の延伸部分１７ａに位置する樹脂材料の流動抵抗を、底壁部１７の回避部分１７ｂに位置する樹脂材料の流動抵抗よりも低く抑えることが可能になる。
これにより、ブロー成形の過程で底金型に到達した樹脂材料のうち、より長く径方向に延伸させなければならない底壁部１７の延伸部分１７ａに位置する樹脂材料を、引っ掛かり少なくスムーズに径方向に延伸することが可能になり、底壁部１７の肉厚が、延伸部分１７ａで薄くなるのを抑制して周方向に沿う位置ごとでばらつくのを抑えることができる。このように、底壁部１７に局所的に薄肉になる部分が生ずることが抑えられるため、強度不足や接地安定性の低下が生ずるのを抑制することができる。
【００２６】
また、延伸リブ３３の側壁部４１のうち、径方向の内端部に位置する部分の前記傾斜角度θ１が、回避リブ３４における側壁部４１の前記傾斜角度θ２より大きくなっているので、ブロー成形の過程で底金型に到達した樹脂材料のうち、延伸部分１７ａに位置する樹脂材料を、前記凹部分内に抵抗少なくスムーズに進入させることが可能になり、前述の作用効果が確実に奏功されることとなる。
【００２７】
本発明は上記した実施の形態に限定されるものではなく、その趣旨を逸脱しない範囲で適宜変更可能である。
【００２８】
例えば前記実施形態では、突リブ３３、３４における径方向の外端を、傾斜連結壁３６に段差なく連ならせたが、突リブ３３、３４における径方向の外端と、傾斜連結壁３６と、の間に段差部を設けてもよいし、また、突リブ３３、３４における径方向の内端と、ドーム部３２における径方向の中央部３２ａと、の間に段差部を設けてもよい。なお、窪み部２３、横溝２４及び傾斜連結壁３６は設けなくてもよい。
また、前記実施形態では、胴部１３及び底部１４の、ボトル軸Ｏに直交する横断面視形状として、正方形状を示したが、これに限らず、楕円形状  長方形状、三角形状、若しくは５つ以上の角部を有する角形状等適宜変更してもよい。
また、前記実施形態では、延伸リブ３３の側壁部４１の前記傾斜角度θ１を、回避リブ３４の側壁部４１の前記傾斜角度θ２より大きくしたが、延伸リブ３３の径方向の内端部における周方向の大きさが、回避リブ３４の周方向の大きさより大きくなっていれば、例えば、延伸リブ３３の前記傾斜角度θ１を、回避リブ３４の前記傾斜角度θ２以下としてもよい。
また、延伸リブ３３と回避リブ３４とで、頂壁部４２の周方向における大きさを互いに異ならせてもよい。
また、延伸リブ３３における前記傾斜角度θ１及び前記傾斜角度θ３を互いに同等にしてもよい。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３０】
１  ボトル
１４  底部
１７  底壁部
１７ａ  延伸部分
１７ｂ  回避部分
２２  角面部
３１  接地部
３２  ドーム部
３３、３４  突リブ
４１  側壁部
４２  頂壁部
Ｌ  仮想線
Ｏ  ボトル軸
θ１〜θ３  傾斜角度
【図１】
2014196113.tif 000003
【図２】
2014196113.tif 000004
【図３】
2014196113.tif 000005
【図４】
2014196113.tif 000006